(57)【要約】      （修正有）【課題】尿漏れや頻尿を改善することを目的とした下腿用衣料を提供する。【解決手段】前身頃１とマチ部２、後身頃３とを備え、前身頃１及び後身頃３のそれぞれの左右の脇側上部から、中央下部にわたって左右一対のパワーネット４を有し、パワーネット４は各々中央下部５、６において、互いに重ね合わせて設けられており、かつマチ部２の肌側生地の外側にパワーネット９、１０を複数枚重ねて縫着することにより、股部を下方より引き上げる力が働き、結果尿漏れや頻尿を改善することが期待できる。【選択図】図１
0003223950.tif 000002
【実用新案登録請求の範囲】
【請求項１】
前身頃とマチ部、後身頃を備えた下腿用衣料であって、前記前身頃及び後身頃それぞれの左右の脇側上部から、中央部下部にわたって縫着された左右一対のパワーネットを有し、前記左右一対のパワーネットは、前記前身頃及び後身頃それぞれの間で、前記脇側上部において、両者間に連続して設けられ、前記左右一対のパワーネットは、前記中央下部において、互いに重なり合っており、かつ前記マチ部の肌側生地の外側にパワーネットを複数枚重ねて縫着して、前記前身頃及び後身頃の左右一対のパワーネット重なり部とマチ部のパワーネットの左右方向の幅がほぼ同一幅で、前記前身頃及び後身頃の左右一対のパワーネット重なり部とマチ部のパワーネットとが、連続状となる様縫合されたことを特徴とする下腿用衣料
【請求項２】
前記前身頃及び後身頃に縫着されたパワーネットの脇上部は、腸骨上端より上方に位置し、前記パワーネットの脇下部は、腸骨上端より下方に位置していることを特徴とする請求項１に記載の下腿用衣料
【請求項３】
前記前身頃及び後身頃の中央上部において、左右のパワーネットが所定の間隔を隔てて前記前身頃及び後身頃に縫着されていることを特徴とする請求項１に記載の下腿用衣料
【請求項４】
前記マチ部の肌側生地の外側に縫着された複数枚のパワーネットは、足口側端部に段差を付けて縫着されていることを特徴とする請求項１に記載の下腿用衣料
【考案の詳細な説明】
【技術分野】
【０００１】  本考案は、下腿用衣料に関する。
【背景技術】
【０００２】  本考案は、尿漏れや頻尿を改善することを目的とした下腿用衣料である。
【先行技術文献】
【特許文献】
【０００３】
【特許文献１】特開平１１−２４１２０３号公報
【考案の概要】
【考案が解決しようとする課題】
【０００４】  経産婦や中高年の女性にとっての大きな悩みの１つに尿漏れや頻尿がある。
尿漏れや頻尿は多くの場合、出産や加齢による骨盤底筋の緩みにより起こる。その為、尿漏れに対応したショーツなどが多く開発され市場に存在している。
しかし、多くの尿漏れ対応ショーツは、上記特許文献１に記載されているように、漏れた尿を外側に出さないということに特化しており、尿漏れや頻尿そのものを改善するという発想ではない。
その為マチ部に防水布などを使用して外側に水分を通さない仕組みで作られているため、むれが起こり不快な着用感であった。
本考案は上述した女性特有の問題に鑑み、尿漏れや頻尿そのものの回数を減らすことができる下腿用衣料を提供することを目的とする。
【課題を解決するための手段】
【０００５】  本考案は、前身頃とマチ部、後身頃を備えた下腿用衣料であって、前記前身頃及び後身頃それぞれの左右の脇側上部から、中央部下部にわたって縫着された左右一対のパワーネットを有し、前記左右一対のパワーネットは、前記前身頃及び後身頃それぞれの間で、前記脇側上部において、両者間に連続して設けられ、前記左右一対のパワーネットは、前記中央下部において、互いに重なり合っており、かつ前記マチ部の肌側生地の外側にパワーネットを複数枚重ねて縫着して、前記前身頃及び後身頃の左右一対のパワーネット重なり部とマチ部のパワーネットの左右方向の幅がほぼ同一幅で、前記前身頃及び後身頃の左右一対のパワーネット重なり部とマチ部のパワーネットとが、連続状となる様縫合されたことを特徴とする下腿用衣料である。【０００６】  また前記前身頃及び後身頃に縫着されたパワーネットの脇上部は、腸骨上端より上方に位置し、前記パワーネットの脇下部は、腸骨上端より下方に位置していることを特徴とする下腿用衣料である。【０００７】  さらに前記前身頃及び後身頃の中央上部において、左右のパワーネットが所定の間隔を隔てて前記前身頃及び後身頃に縫着されていることを特徴とする下腿用衣料である。【０００８】  また前記マチ部の肌側生地の外側に縫着された複数枚のパワーネットは、足口側端部に段差を付けて縫着されていることを特徴とする下腿用衣料である。
【考案の効果】
【０００９】  本考案によれば、前身頃及び後身頃に前記前身頃及び後身頃それぞれの中央下部において、互いに重なり合って縫着されたパワーネット一対と、マチ部肌側生地の外側に複数枚重ねて縫着されたパワーネットを左右方向の幅がほぼ同一幅で、前記前身頃及び後身頃の左右一対のパワーネット重なり部とマチ部のパワーネットとが、連続状になるよう縫合することにより、股部に上部方向に力が働き、股部を下側から押さえることができ、骨盤底筋に常に意識を持つことができるため、尿漏れや頻尿の回数を減らすことができる。
【図面の簡単な説明】
【００１０】
【図１】は、本実施形態のショーツの前側を中心とした展開平面図
【図２】は、本実態形態のショーツの前身頃とマチ部の縫合部の拡大図
【図３】は、本実施形態のショーツの後側を中心とした展開平面図
【図４】は、本実態形態のショーツの後身頃とマチ部の縫合部の拡大図
【図５】は、本実態形態のショーツのマチ部の断面図
【図６】は、本実施形態のショーツの正面図
【図７】は、本実施形態のショーツの背面図
【図８】は、骨盤底筋群の位置を示した図
【本考案を実施するための形態】
【００１１】  以下に本考案の下腿用衣料について図面を参照して説明する。図１は本実態形態のショーツの前側を中心とした展開平面図である。図２は本実態形態のショーツの前身頃とマチ部の縫合部の拡大図である。図３は本実態形態のショーツの後側を中心とした展開平面図である。図４は本実施形態のショーツの後身頃とマチ部の縫合部の拡大図である。図５はマチ部の断面図である。図６は本実態形態のショーツの正面図である。図７は本実態形態のショーツの背面図である。図８は骨盤底筋群の位置を示した図である。
【００１２】  本考案の実施形態は前腹部を覆う前身頃１と股下を覆うマチ部２と臀部を覆う後身頃３を備え、前記前身頃１と後身頃３にわたってパワーネット４を縫着し、左右のパワーネットが前側中央下部６、後側中央下部７で互いに重なっている。またマチ部２の肌側生地の外側に、パワーネット９とパワーネット１０を重ねて縫着されている。
【００１３】  また前記脇側パワーネット４の脇上部４ａは、腸骨上端Ｅより上方に位置し、前記パワーネット４の脇下部４ｂは、腸骨上端Ｅより下方に位置しているため、腸骨上端に引っ掛かる状態となるので、脇部でのパワーネット４の位置が安定し、歩行やねじり動作などの身体の動きによるショーツの位置ずれが少なく、常にマチ部２が身体に密着させることができる。
【００１４】  前身頃１の前側中央上部７、後身頃３の後側中央上部８には、左右一対のパワーネット４が存在せず、ショーツ着用時の上方への引き上げ力が身体の上方向ではなく左右脇方向に働く。その為、前屈や反り返り運動をしてもマチ部２の密着力が変わることがない。特に左右一対のパワーネット４の脇上部４ａが腸骨上端に引っ掛かる状態で左右一対のパワーネットの上方への引き上げ力が左右脇方向に働くことにより、身体の動きにかかわらずショーツの引き上げ力を発揮することができて、マチ部２を身体に安定的に密着することができる。
【００１５】  また前記マチ部パワーネット９とパワーネット１０が足口側端部に段差を付くように縫着されているため、マチ部２の中央のみが身体に密着するのではなく、足口側へ向け、広範囲に密着することができる。骨盤底筋群Ａ，Ｂ，Ｃ，Ｄは、股部の中央に存在しているものではなく、股部で幅を持って存在している、その為股部全体を押し上げる必要がある。前記パワーネット９とパワーネット１０に段差１１ｅをつけることで、パワーの強い部分、弱い部分、パワーがない部分と段階的に身体への密着度が変化されるため、苦しさがなく快適に股部を押し上げられている感覚があり、結果尿意を意識することができ、尿漏れや頻尿を起こすことが少なくなる。
【００１６】  前記前身頃１後身頃３の中央足口側では、パワーネット４の脇下部４ｂが大きく弧を描くように存在している。その為前身頃１では、鼠径部を圧迫することなく、足の動きを阻害せず、後身頃３では、臀部の丸みをつぶすことがない。
【００１７】    またパワーネット４の脇上部４ａと脇下部４ｂの幅は、前身頃の重なり部５及び後身頃の重なり部６での引き上げの力を維持するため、後身頃３の脇側上下幅の少なくとも１／３程度の幅としている。
【００１８】    前身頃１のマチ側の縫合部１１ａとマチ部２の前身頃側縫合部１１ｂ、後身頃３のマチ側の縫合部１１ｃとマチ部２の後身頃側縫合部１１ｄは、ほぼ同一幅とすることで、各々の力を無駄なく伝達することができ、結果ショーツ全体の脇上部への引き上げ力が感じられるようにしている。
【符号の説明】
【００１９】１          本実態形態の前身頃
２          本実施形態のマチ部
２ａ        本実態形態のマチ部足口側端部
３          本実施形態の後身頃
４          本実施形態の肌側に縫着されたパワーネット
４ａ        本実態形態の肌側に縫着されたパワーネットの脇上部
４ｂ        本実態形態の肌側に縫着されたパワーネットの脇下部
５          本実施形態のパワーネットの前身頃下部での重なり部
６          本実施形態のパワーネットの後身頃下部での重なり部
７          本実態形態の前身頃中央上部
８          本実態形態の後身頃中央上部
９          本実施形態のマチ部表側生地と肌側生地の間に縫着されたパワーネット−１
１０        本実施形態のマチ部表側生地と肌側生地の間に縫着されたパワーネット−２
１１ａ      本実施形態の前身頃のマチ側縫合部
１１ｂ      本実態形態のマチ部の前身頃側縫合部
１１ｃ      本実施形態のマチ部の後身頃側縫合部
１１ｄ      本実態形態の後身頃のマチ側縫合部
１１ｅ      本実態形態のマチ部のパワーネットの段差部分拡大図
0003223950.tif 000003
Ｅ          腸骨上端
【図１】
0003223950.tif 000004
【図２】
0003223950.tif 000005
【図３】
0003223950.tif 000006
【図４】
0003223950.tif 000007
【図５】
0003223950.tif 000008
【図６】
0003223950.tif 000009
【図７】
0003223950.tif 000010
【図８】
0003223950.tif 000011